(57)【要約】【課題】従来に比べて少ない操作回数で、電子時計のワールドタイムの都市設定を実行可能な時計の提供。また、複数の機能選択を簡単な操作で行える時計の提供。【解決手段】選択可能な都市名の近傍にタッチスイッチを配置し、最初の１回目のタッチで指針を目的とする都市の略位置まで移動させ、２回目以降のタッチでタッチされた方向に１都市分ずつ指針を移動させる。また、機能に対応した指標群を複数有し、各指標群にタッチスイッチを1つ配置し、同様の操作で機能を選択する。【選択図】図１
2012255691.tif 000002
【特許請求の範囲】
【請求項１】
表示部材上に記載された複数の指標と、
該指標を指示する指示部材と、
該指標を選択するために、
該指標に関連付けられて配置されたタッチスイッチと、を有し、
該タッチスイッチの第１の操作でタッチされた
該タッチスイッチの近傍の所定領域の指標に前記指示部材を送り、
該タッチスイッチの第２の操作毎に、前記指示部材を決まった所定量ずつ送る
ことを特徴とする電子時計。
【請求項２】
前記指標の個数が前記タッチスイッチの個数より多く配置される
ことを特徴とする請求項１に記載の電子時計。
【請求項３】
同一カテゴリの前記複数の指標により指標群が構成され、
前記タッチスイッチが、該指標群に関連付けられて配置される
ことを特徴とする請求項２に記載の電子時計。
【請求項４】
前記指標群に関連付けられて配置されたタッチスイッチが、
前記指標群に対し１つだけ配置される
ことを特徴とする請求項３に記載の電子時計。
【請求項５】
前記指標群を構成する各指標が、
前記指標群に対応して配置される前記タッチスイッチを通る
３時−９時を結ぶ線と平行な線より１２時側に配置される
ことを特徴とする請求項３ないし４のいずれか１つに記載の電子時計。
【請求項６】
前記指標群が３時−９時を結ぶ線より１２時側に配置される
ことを特徴とする請求項３ないし５のいずれか１つに記載の電子時計。
【請求項７】
前記指標群を複数有する
ことを特徴とする請求項３ないし６のいずれか１つに記載の電子時計。
【請求項８】
前記第１の操作状態か、前記第２の操作状態かを示す表示手段を有する
ことを特徴とする請求項１ないし７のいずれか１つに記載の電子時計。
【発明の詳細な説明】
【技術分野】
【０００１】
本発明は、電子時計における各種モード設定の操作方法に関するものであり、さらに詳しくは操作方法の簡便化に関するものである。
【背景技術】
【０００２】
近年、多くの電子時計については、１つのタイムゾーンの時刻表示以外に、複数のタイムゾーンを選択表示できる所謂ワールドタイム機能が付加された電子時計が知られている。前記、ワールドタイム機能が付加された電子時計においては、特にアナログ時計では、選択可能なワールドタイムの都市名が時計の文字板又はベゼル部分に記載され、現在設定されている都市名を指針によって表示する方法が知られている（例えば、特許文献１参照）。
また近年、電子時計においては、設定変更等を行う際、従来のプッシュボタンの操作に変わり、風防部に配置されたＩＴＯ等の透明電極をタッチセンサと使用した所謂タッチスイッチを装備するものもあり、使用者が風防部分の所定の箇所にタッチすることで所望の機能を果たすものが知られている。ワールドタイム機能時計においては、文字板上に都市名が記載され、使用者は都市名の上部に一致する風防部分をタッチする事で、その都市名に対応するタイムゾーンに切り替えることができるものが知られている（例えば、特許文献２参照）。
【先行技術文献】
【特許文献】
【０００３】
【特許文献１】特開昭６２−６６１８７号公報
【特許文献２】実開昭６０−８０３７７号公報
【発明の概要】
【発明が解決しようとする課題】
【０００４】
しかしながら上記のように、文字板上に記載された都市名の上部に対応する風防部分に配置されたタッチスイッチをタッチして、タイムゾーンを切り替える場合、以下のような問題がある。
特許文献２のようにタイムゾーンが２〜６都市程度の場合、文字板およびベゼル部分に都市名を記載する場合でも、各都市間の距離が大きく取れ、使用者は目的とする都市名を確実にタッチ出来、タッチスイッチの誤検出により間違って目的の隣の都市が設定されてしまう事は少ない。しかし、都市名が１０以上にも及ぶ場合、都市名同士の間隔が非常に狭くなり、目的の都市名を確実にタッチする事は、一般的な時計文字板のサイズと、人間の指の大きさを考えると不可能である。本発明は設定可能なタイムゾーンが多数である場合においても、タッチ操作により正確に素早くタイムゾーンを設定する事ができるものである。
【課題を解決するための手段】
【０００５】
上記問題を解決するために、本発明は、
表示部材上に記載された複数の指標と、該指標を指示する指示部材と、
該指標を選択するために、該指標に関連付けられて配置されたタッチスイッチと、
を有し、
該タッチスイッチの第１の操作でタッチされた
該タッチスイッチの近傍の所定領域の指標に前記指示部材を送り、
該タッチスイッチの第２の操作毎に、前記指示部材を決まった所定量ずつ送る
ことを特徴とする。
【発明の効果】
【０００６】
本発明によれば、タッチスイッチの第１の操作で、タッチされたタッチスイッチの近傍まで指針を送り、該タッチスイッチの第２の操作で指針を所定量ずつ送る事で、素早く確実に設定を行う事ができる。
【図面の簡単な説明】
【０００７】
【図１】本発明の第１実施例における操作図である。
【図２】本発明の第１実施例におけるフローチャートである。
【図３】本発明の第２実施例の構成図である。
【図４】本発明の第２実施例における操作図である。
【図５】本発明の第２実施例におけるフローチャートである。
【図６】本発明のブロック図である。
【図７】本発明の第２実施例における、変形例である。
【発明を実施するための形態】
【０００８】
［第1実施例：基本実施例］
本発明の実施形態を図１、図２、図６に基づいて説明する。図１は本発明に係る電子時計の構成図及び操作方法を示す図であり、図２は都市設定におけるフローチャートを示す。図６は本発明に係る電子時計のシステムブロック図である。
【０００９】
まず第１実施例の構成を図１（ａ）に基づいて説明する。
１は電子時計本体である。２は秒針を兼ねた、設定されているタイムゾーンの都市名を示す指針である。３は分針、４は時針であり設定されたタイムゾーンの時刻を表示する。５はベゼルであり、選択可能な都市名を示す指標５１（以下、都市名５１）が円周状に記載されている。
【００１０】
６は風防でありガラス等の透明部材で構成される。７は風防６の内側に配置された第１グループのタッチスイッチであり、ＩＴＯ等の透明電極により構成される。
図１（ａ）に示されるように、第１グループのタッチスイッチ７はベゼル５の内周近辺に複数配置される。第１グループのタッチスイッチ７は、都市名５１の選択操作に使用され、その個数は、ベゼル5に記載された都市名５１の個数よりも少ない数に設定されている。図１（ａ）では、都市名５１が２０個であるのに対し、第１グループのタッチスイッチ７は８個である。もちろん、都市名５１と第１グループのタッチスイッチ７の個数は、上記個数には限定されない。
８は風防６の内側中心に配置された第２グループのタッチスイッチであり、タッチスイッチ７と同様にＩＴＯ等の透明電極により構成される。第２グループのタッチスイッチ８は、選択した都市名５１の確定操作に使用される。
第２グループのタッチスイッチ８は、第１グループのタッチスイッチ７が配置される円周のさらに内部である中央部、すなわち指針２、分針３、時針４の指針軸５０の上に配置されている。これにより、第１グループのタッチスイッチ７と役割が異なることがわかり、誤操作を防ぐことが出来る。
９はプッシュスイッチであり、タッチスイッチ８、９の検出許可等を行う。
なお、タッチスイッチ７、８やプッシュスイッチ９の構造については、本発明とは直接関連しないので、その詳細説明は省略する。
【００１１】
次に第１実施例のシステム構成を、図６を用いて説明する。なお、図１で示した構成要素と同じ構成要素には、同一の番号が付されている。また、図６のシステム構成図は、後述の第２実施例でも同じ構成であるものとする。
【００１２】
前述の如く、７は選択用の第１グループのタッチスイッチであり、８は確定用の第２グループのタッチスイッチであり、９は検出許可用のプッシュスイッチである。１１は制御回路であり、タッチスイッチ７、８、プッシュスイッチ９の信号を入力して処理し、その結果として、モーター１２、輪列１３を介して、指針２により対応する表示を行う。
【００１３】
制御回路１１は、プッシュスイッチ９からの信号により、タッチスイッチ７、８をアクティブ化し、タッチスイッチ７、８のいずれかからの信号により、どのタッチスイッチがタッチされたかを判別する。さらに、制御回路１１は、指針２が各都市名５１に対し現在どの位置にあるかを記憶しており、指針２の位置とタッチスイッチ７、８からの入力信号の内容により、モーター１２、輪列１３を介して、指針２を所定の位置まで運針するよう制御するものである。当然、制御回路１１は通常の時刻表示を行うために、指針２だけでなく図１の分針３、時針４を駆動するための制御信号も出力するが、ここでは詳細は省略する。
【００１４】
次に本実施携帯におけるタイムゾーン修正方法について図１、図２、図６に基づいて説明する。
まずタッチ入力を許可するために、プッシュボタン９を押す（ＳＴ−１）。この動作により、タッチスイッチ７、８がアクティブとなり、秒針を兼ねている指針２が、ベゼル５上に表示されている都市名のうち、現在設定されている都市の位置まで移動する（ＳＴ−２）。この状態は図１（ａ）に相当し、指針２は「ＳＹＤ」を指している。
その後システムはタッチスイッチ７、８の入力判定を待つ状態となる（ＳＴ−３）。
タッチスイッチ７、８のいずれかの入力を検出したら（ＳＴ−３：ＹＥＳ）、次に、制御回路１１は、第１グループ７、第２グループ８のいずれのタッチスイッチが検出されたかを判定する（ＳＴ−４）。
【００１５】
タッチスイッチ７、８のうち、第１グループであるタッチスイッチ７の何れかが検出された場合（ＳＴ−４：第１グループ）、その検出が、タッチ入力を許可されてから、最初の１回目かどうかを判定する（ＳＴ−５）。その検出が最初の１回目である場合は（ＳＴ−５：ＹＥＳ）、検出されたタッチスイッチ７についてもっとも近い位置にある都市名の部分まで指針２が一気に移動する（ＳＴ−６）。ここで、各タッチスイッチ７に対応する、ベゼル５上の都市名５１は予め決定されているものであるとする。図１（ｂ）は、ＳＴ−６における指針２が送られた状態を示す図であり、指１００でタッチしたタッチスイッチ７Ａに最も近い「ＲＩＯ」まで、指針２が送られた状態を示している。指針２の移動完了後は、再びタッチスイッチの検出を待つ状態となる（ＳＴ−３）。
【００１６】
再び、第１グループのタッチスイッチ７が検出された場合（ＳＴ−４：第１グループ）、指針２は現在の位置に対し検出されたタッチスイッチ７Ｂの方向へ１都市分だけ移動する（ＳＴ−７）。
図１（ｃ）は、ＳＴ−７における指針２が送られる状態を示す図であり、指１００でタッチしたタッチスイッチ７Ｂの方向に１都市分移動した「ＮＹＣ」に、指針２が送られた状態を示している。
【００１７】
現在の針位置からみたタッチされたタッチスイッチの方向は、タッチスイッチのサイズや都市表示の間隔、位置等により、使用者から見て一意的に判断できない場合もあるが、本実施例においては指針２が各都市名５１の位置に停止している全ての状態において、タッチスイッチ７のそれぞれのスイッチが検出されたときに、指針２がどの方向へ動くか予め決定されているものであるとする。
例えば、図１（ｂ）において、タッチスイッチ７Ｃにタッチした場合は、指針２は、時計周りに１都市分進めた「ＰＤＬ」を指す。
【００１８】
指針２が１都市分だけ移動した後に、システムは再びタッチスイッチの検出を待つ状態となる（ＳＴ−３）。以上のように図２における、ＳＴ−３→ＳＴ−４→ＳＴ−５→ＳＴ−７→ＳＴ−３、を繰り返し行い、目的とする都市まで指針２を移動させる。指針２を目的の位置まで移動させた後はＳＴ−３の状態において使用者は確定スイッチである第２グループのタッチスイッチ８をタッチする。第２グループであるタッチスイッチ８が検出された場合（ＳＴ−４：第２グループ）、制御回路１１は、指針２が示す都市の時刻を表示させるために、分針３、時針４を駆動させる信号を出力し、分針３、時針４の運針終了後、指針２も通常の秒表示状態に戻り（ＳＴ−８）、タッチ入力が禁止される（ＳＴ−９）。
【００１９】
以上のように第１実施例ではワールドタイムの都市設定について目的とする都市の近辺をタッチすることで、指針がその略位置まで移動し、２回目以降のタッチでタッチした方向に指針が１都市分ずつ移動するため、直感的で素早く正確な都市修正が可能となる。
【００２０】
［第１実施例の変形例］
また、本発明においては最初の１回目のタッチで指針がタッチ箇所の略位置まで一気に移動し、２回目以降はタッチした箇所に関わらず、現在の指針２の位置に対し、タッチされた方向に１都市分ずつ移動するような構成だが、この２種類の動作をタッチの仕方により区別させる方法も考えられる。
【００２１】
例えば、タッチの仕方をタッチスイッチに対し確実にゆっくりタッチする普通のタッチと、同位置のタッチスイッチを素早く２回タッピングする所謂ダブルタッチの２通りに分類する事ができる。普通のタッチとダブルタッチは、所謂パソコンで使用するマウスのクリックとダブルクリックに相当する操作である。都市修正方法について普通のタッチをした場合、タッチ箇所の方向に指針２は１都市分だけ移動し、ダブルタッチをした場合タッチ箇所近傍の都市へ一気に移動するようにすれば、使用者は１都市分ずつの移動と、略位置までの移動を任意に選択する事が出来、より自由な操作が可能となる。
【００２２】
また、別の方法としてはタッチスイッチではなく、プッシュスイッチ等の機械スイッチを設ける事で、該プッシュスイッチを押す度に１都市分ずつの移動と、略位置までの移動を切り替える方法もある。この場合、使用者が現在どちらの状態になっているのかを判別するために、例えば指針などにより文字板上で表示する事が望ましい。
【００２３】
［第２実施例：複数のモード操作への応用］
続いて第２実施例について説明する。第２実施例では、本発明における操作方法を複数のモードにおける操作方法へ応用する実施例である。
なお、第１実施例と同じ構成要素については、同一の番号を付し、その説明は省略する。
【００２４】
第１実施例は、単一カテゴリの複数指標（都市名５１）の選択を、指標（都市名５１）より数が少ないタッチスイッチ７で行っていた。
これに対し、第２実施例は、複数カテゴリ（機能）の複数指標群（機能選択）のそれぞれに、単一の選択タッチスイッチ７を配置し、タッチスイッチ７の操作で、複数指標群（機能）の選択と選択指標群の中の指標（機能）の選択を行うものである。
【００２５】
第２実施例の構成を、図３を用いて説明する。図３は、第２実施例の電子時計の構成図である。第２実施例の電子時計は、複数の送信局の標準電波が受信可能な多機能電波時計であるものとする。
図３において１は電子時計本体であり、２は秒針を兼ねた各モードの設定を示す指針である。当然、電子時計１は通常の時刻を表示するための時針、分針を有するが、第２実施例の説明においては不要なので図中では省略している。
【００２６】
１０は文字板であり、通常の時刻表示を行う為の図示しない数字や目盛を有する。本実施例においては文字板上には、各モードの名称とモード毎の設定項目が、風防６の内面側に設けられた第１グループのタッチスイッチ７の近傍に記載されている。図３において、タッチスイッチ７ａの近辺には、電子時計が、時刻情報を有する電波を取得して時刻修正を行う際に、選択可能な標準電波の受信局の略称(以下、受信局名)１０ａが記載されており、タッチスイッチ７ｂの近傍にはアラームのＯＮ、およびＯＦＦを示す指標１０ｂが記載されており、タッチスイッチ７ｃの近傍にはサマータイムのＯＮ、ＯＦＦ、ＡＵＴＯ、ＭＡＮＵＡＬを示す指標１０ｃが記載されている。また電子時計１は第１実施例と同様に、タッチスイッチ７、８をアクティブ化するプッシュスイッチなどの機械スイッチを有するが、図中では省略している。
【００２７】
ちなみに、上記において、「ＡＵＴＯ」はサマータイムが標準電波からの受信情報に含まれるサマータイム情報によりサマータイムが設定されることを示し、「ＭＡＮＵＡＬ」は、不図示の操作部材などにより、手動でサマータイムが設定されることを示す。
なお、標準電波の受信システムは公知であり、本発明とは直接関連しないので、その詳細説明は省略し、図６のシステム構成図にも図示していない。アラーム機能についても同様である。
【００２８】
次に第２実施例における各モードの操作方法について図４、及び図５を用いて説明する。まずはタッチ入力を許可するため、図示しないプッシュボタンを押すしタッチスイッチ７、８をアクティブ化する（ＳＴ−１１０）。このとき指針２は、１２時の位置又は前回モード設定を終了したときの位置等、に移動し静止することで、使用者はタッチ入力が許可された状態になった事を認識する事ができる（ＳＴ−１２０）。
タッチスイッチ７、８のうち第１グループであるタッチスイッチ７の何れかが検出された場合（ＳＴ−１３０：第１グループ）、指針２は各タッチスイッチに対応するモードの選択肢のうち、現在設定されている項目を示す位置まで移動する。例えば使用者が受信局の設定を行う為にタッチスイッチ７ａをタッチした場合（ＳＴ１４０：２）、受信局設定が選択され（ＳＴ−１６０）、現在設定されている受信局が東日本の電波であれば、図４（ｂ）のように指針２はＪＰＥを示す（ＳＴ−１６１）。以降、７ａをタッチする毎に指針２は文字板上の受信局名を順番に移動し(ＳＴ−１６１〜ＳＴ−１６５)、使用者は目的の受信局まで指針２を移動させる。
【００２９】
ここでタッチスイッチ８をタッチして変更を確定してもよいのだが、例えば使用者が受信局の設定と同時にアラームの設定を行う場合は、タッチスイッチ７ｂをタッチする（ＳＴ−１４０：３）。すると、アラーム設定が選択され（ＳＴ−１７０）、図４（ｃ）に示すように、指針２は文字板のアラーム設定のＯＮ、ＯＦＦのいずれかのうち、現在設定されている表示の方へ移動する。再びタッチスイッチ７ｂをタッチすると受信局の設定の場合と同様にＯＮ、ＯＦＦが順次変更される(ＳＴ−１７１、ＳＴ−１７２)。
詳細説明は割愛するが、図４（ａ）に示すタッチスイッチ７ａによるサマータイムの選択（図５におけるＳＴ−１５０、ＳＴ−１５１〜ＳＴ−１５４）についても同様である。
【００３０】
以上のように、受信局、アラーム、及びサマータイムについて、任意の設定を行った後、使用者は第２グループであるタッチスイッチ８をタッチすると変更内容が確定され、タッチ入力が禁止となり（ＳＴ−１８０）、通常の時刻表示状態に戻る。
以上のように第２実施例では文字板上の各モード名の位置と風防に設けられたタッチスイッチの位置を一致させることで、変更を行いたいモード名に対応するタッチスイッチをタッチする毎に、モード内の設定項目を順番に送り、直感的で素早い設定変更が可能となる。
【００３１】
［第２実施例の変形例］
図３に示す第２実施例では、指標群１０ａが文字板及の下側に記載され、対応するタッチスイッチ７ａに対しても下側に配置されている。この場合、図４（ｂ）に示すように、指１００でタッチスイッチ７ａをタッチすると、指針２、および指標群１０ａの一部が使用者の指１００の下に隠れてしまう場合があり、現在の設定状況が見づらいものになってしまう可能性がある。
【００３２】
そこで図７（ａ）に示すように、指標群１０ａ〜１０ｃを文字板６の上側に配置し、かつ、指標群１０ａ〜１０ｃを構成する指標に対しても、対応するタッチスイッチ７ａ〜７ｃに対して上側に配置する方法が考えられる。
ここで、「上側」とは、タッチスイッチ７ａ〜７ｃに対しては、文字板６の３時−９時を結ぶ線Ｉ−Ｉよりも１２時側にあることを示し、
指標群１０ａ〜１０ｃを構成する指標に対しては、上記線I−Iと平行で、かつ
タッチスイッチ７ａ〜７ｃを通る線（７ａに対しては、線II−II）より１２時側にあることを示す。
【００３３】
このようにすれば操作時においても使用者の指が指標群および指針の全てを隠す事が無くなり、使用者にとって見やすい表示とすることができる。
なお、タッチスイッチ７ａ〜７ｃを全て上側におく必要は無く、指標群１０ａ〜１０ｃを構成する指標を上側に置くだけでも、相応の効果を得ることが出来る。
図７（ｂ）にはタッチスイッチ７ａを、文字板６の３時−９時を結ぶＩ−Ｉより６時側に配置し、対応する指標群１０ａを、上記線Ｉ−Ｉと平行でタッチスイッチ７ａの中心を通る線ＩＩ−ＩＩより１２時側に配置した例を示す。
このような配置でも使用者の指で指標群が隠されることが無く、見やすい表示を構成する事ができる。
【符号の説明】
【００３４】
１    電子時計
２    指針
３    分針
４    時針
５    ベゼル
６    風防
７    第１グループのタッチスイッチ
８    第２グループのタッチスイッチ
９    プッシュスイッチ
１０  文字板
１１  制御回路
１２  モーター
１３  輪列
５０  指針軸
５１  都市名
１００  指
【図１】
2012255691.tif 000003
【図２】
2012255691.tif 000004
【図３】
2012255691.tif 000005
【図４】
2012255691.tif 000006
【図５】
2012255691.tif 000007
【図６】
2012255691.tif 000008
【図７】
2012255691.tif 000009